(57)【要約】【課題】メモリ容量や演算能力をあまり必要とせず、容易に運用スケジュールデータを編集できるプログラマブル表示器を実現する。【解決手段】本発明のプログラマブル表示器２は、デバイス４を運用するためのスケジュールデータ２４ａを記憶するＦＥＰＲＯＭ２４と、スケジュールデータ２４ａを編集するスケジュールデータ編集部２１１とを有し、スケジュールデータ編集部２１１は、スケジュールデータ２４ａのうち、所定の規則に従った所定日数分運用スケジュールデータである読出しデータ２５ａをＤＲＡＭ２５に読み出して表示画面上に表示するデータ読出表示部２１１ａと、データ読出表示部２１１ａによって読み出された読出しデータ２５ａを書き換えるデータ書換部２１１ｂとを備える。【選択図】図１
2010086325.tif 000002
【特許請求の範囲】
【請求項１】
制御対象機器の運用スケジュールデータを記憶する記憶手段と、
上記運用スケジュールデータを編集するスケジュールデータ編集手段とを有するプログラマブル表示器において、
上記スケジュールデータ編集手段は、
上記運用スケジュールデータのうち、所定の規則に従って所定日数分の運用スケジュールデータを読み出して表示画面上に表示するデータ読出表示手段と、
上記データ読出表示手段によって読み出された運用スケジュールデータを書き換えるデータ書換手段とを有することを特徴とするプログラマブル表示器。
【請求項２】
上記データ読出表示手段は、編集時から起算して所定日数分の運用スケジュールデータを読み出すことを特徴とする請求項１に記載のプログラマブル表示器。
【請求項３】
上記データ読出表示手段は、所定日数分の平日の運用スケジュールデータを読み出すことを特徴とする請求項１または２に記載のプログラマブル表示器。
【請求項４】
上記所定日数は、２〜５日であることを特徴とする請求項１〜３のいずれか１項に記載のプログラマブル表示器。
【請求項５】
請求項１〜４のいずれか１項に記載の上記データ読出表示手段および上記データ書換手段としてコンピュータを機能させるためのプログラム。
【請求項６】
請求項５に記載のプログラムを記録したコンピュータ読み取り可能な記録媒体。
【発明の詳細な説明】
【技術分野】
【０００１】
本発明は、デバイスの運用スケジュールを編集する技術に関し、好ましくは、プログラマブル表示器において運用スケジュールを編集する技術に関するものである。
【背景技術】
【０００２】
制御対象機器を自動的に運用するための運用スケジュールを作成・編集する技術を開示する先行技術文献として特許文献１が挙げられる。特許文献１では、日付取得手段により取得した当日の日付と、定義情報入力手段により入力した定義情報の適用日付とを定義情報選択手段にて比較し、当日に動作すべき運転スケジュールをスケジュール出力手段にて作成することが記載されている（〔要約〕）。
【０００３】
また、制御対象機器の運用スケジュールを作成・編集する技術を開示する他の先行技術文献として特許文献２が挙げられる。特許文献２では、過去の年間スケジュールを用いて運用スケジュールの作成することが記載されており、例えば今年の年間スケジュールを用いて来年の年間スケジュールを作成する技術が開示されている。そして、特定の曜日を変更するとき、スケジュールエディタのユーザは、端末に表示されたスケジュールを確認しながらスケジュールの編集を行う（特許文献２〔００３２〕段落、図７参照）。
【０００４】
図５は、特許文献２に記載の運用スケジュール作成システムによって作成された運用スケジュールの例を示す図である。この運用スケジュールでは、休日を含めて５日分のスケジュールデータが表示されている。ユーザは、例えば、表示されている日から変更したい日の時刻表示部分を選択して所望の時刻を入力することにより、スケジュールデータを変更することができる。
【特許文献１】特開平６−１０３２７６号公報（１９９４年４月１５日公開）
【特許文献２】特開２００３−１３１７１６号公報（２００３年５月９日公開）
【発明の開示】
【発明が解決しようとする課題】
【０００５】
しかしながら、特許文献１に係る構成は、当日の運転スケジュールを生成するものであるため、編集時の翌日以降のスケジュールを編集することができない。
【０００６】
また、盆休み、年末・正月休み、ゴールデンウィーク期間等のような長期の休業日の前に運用スケジュールを編集する場合、特許文献２に係る運用スケジュールでは、休業日明けの営業日のスケジュールが表示されない。例えば、２００８年８月のスケジュールでは、８月９日（土）から８月１７日（日）まで夏季休業日となるが、図６に示すように、８月８日から起算して５日後の８月１２日までしか表示されない。このため、休業日明けの８月１８日以降のスケジュールを変更する場合、８月１８日以降のスケジュールをメモリに展開して、長期間分のスケジュールデータを一度に表示するか、画面をスクロールさせる作業が必要となる。
【０００７】
また、ビルの照明や空調などのデバイスをプログラマブル表示器によって制御する場合、１棟のビルに多数のプログラマブル表示器を設置することが多いので、設置費用の問題から安価なプログラマブル表示器を設置することが多い。安価なプログラマブル表示器は、表示画面が小さく、読み出したスケジュールデータを展開・表示するためのメモリの容量もあまり大きくない。このため、当該プログラマブル表示器を運用スケジュールのエディタとして使用する場合、長期間分のスケジュールデータを一度に表示すると、表示が細かくなり、タッチ操作が困難となる。また、スクロールさせることにより先の運用スケジュールを表示させる場合、メモリに展開されるデータ量が大きくなるため、プログラマブル表示器の制御動作に必要なメモリ容量を確保できず、デバイスの制御に支障をきたす虞がある。また、安価なプログラマブル表示器は、演算能力が低いため、画面のスクロールに時間がかかってしまい、編集作業に手間がかかるという問題を生じる。
【０００８】
本発明は、上記の問題点に鑑みてなされたものであり、その目的は、メモリ容量や演算能力をあまり必要とせず、容易に運用スケジュールデータを編集できるプログラマブル表示器を実現することにある。
【課題を解決するための手段】
【０００９】
本発明に係るプログラマブル表示器は、上記課題を解決するために、制御対象機器の運用スケジュールデータを記憶する記憶手段と、上記運用スケジュールデータを編集するスケジュールデータ編集手段とを有するプログラマブル表示器において、上記スケジュールデータ編集手段は、上記運用スケジュールデータのうち、所定の規則に従って所定日数分の運用スケジュールデータを読み出して表示画面上に表示するデータ読出表示手段と、上記データ読出表示手段によって読み出された運用スケジュールデータを書き換えるデータ書換手段とを有することを特徴としている。
【００１０】
上記の構成によれば、運用スケジュールデータの編集時にデータ読出表示手段が運用スケジュールデータのうち、所定の規則に従って所定日数分の運用スケジュールデータを読み出して表示画面上に表示する。これにより、変更する頻度の高い運用スケジュールデータのみ読出し、変更する必要のない運用スケジュールデータを読み出さないように所定の規則を設定することにより、読み出すデータ量が同一であっても、さらに先の運用スケジュールを表示することができる。例えば、殆どの場合変更する必要のない休日の運用スケジュールデータを読み出さないように設定することにより、読み出すデータ量が同一であっても、休日の運用スケジュールデータも含めて読み出す場合に比べ、さらに先の運用スケジュールを表示することができる。これにより、画面のスクロールを不要としたり、画面のスクロール回数を減らすことができるので、編集作業の手間を軽減することができ、演算能力をあまり必要としない。したがって、メモリ容量や演算能力をあまり必要とせず、容易に運用スケジュールデータを編集できるプログラマブル表示器を実現できるという効果を奏する。
【００１１】
本発明に係るプログラマブル表示器では、上記データ読出表示手段は、編集時から起算して所定日数分の運用スケジュールデータを読み出すことが好ましい。
【００１２】
運用スケジュールデータの編集対象となるのは、編集時以降のデータであり、特に、編集時から数日以内の運用スケジュールデータであることが多い。上記の構成によれば、編集時から起算して所定日数分のスケジュールデータが表示されるので、多くの場合、編集対象となる日のスケジュールデータをスクロールせずに表示させることができる。
【００１３】
本発明に係るプログラマブル表示器では、上記データ読出表示手段は、所定日数分の平日の運用スケジュールデータを読み出すことが好ましい。
【００１４】
上記の構成によれば、平日のスケジュールデータのみが表示されるので、休日明けの運用スケジュールデータを編集する場合に、画面のスクロールを不要としたり、画面のスクロール回数を減らすことができる。したがって、編集作業の手間を軽減することができ、演算能力をあまり必要としない。特に、長期の休業期間明けの運用スケジュールデータを当該休業期間前に編集する場合に、編集作業の手間を大幅に軽減することができる。
【００１５】
本発明に係るプログラマブル表示器では、上記所定日数は、２〜５日であることが好ましい。
【００１６】
上記の構成によれば、データ読出表示手段によって読み出されるデータ量が少ないので、運用スケジュールデータ編集のためのメモリ容量が小さくて済み、デバイスの制御に支障をきたすことがない。
【００１７】
本発明に係るプログラムは、上記いずれかの構成のデータ読出表示手段およびデータ書換手段としてコンピュータを機能させるプログラムであり、本発明に係る記録媒体には、当該プログラムが記録されている。
【発明の効果】
【００１８】
本発明に係るプログラマブル表示器は、以上のように、制御対象機器の運用スケジュールデータを記憶する記憶手段と、上記運用スケジュールデータを編集するスケジュールデータ編集手段とを有するプログラマブル表示器において、上記スケジュールデータ編集手段は、上記運用スケジュールデータのうち、所定の規則に従って所定日数分の運用スケジュールデータを読み出して表示画面上に表示するデータ読出表示手段と、上記データ読出表示手段によって読み出された運用スケジュールデータを書き換えるデータ書換手段とを有するので、メモリ容量や演算能力をあまり必要とせず、容易に運用スケジュールデータを編集できるプログラマブル表示器を実現できるという効果を奏する。
【発明を実施するための最良の形態】
【００１９】
本発明の一実施形態について図１〜図５に基づいて説明すると以下の通りである。
【００２０】
図１は、本実施形態に係るビル管理システム１の構成を示すブロック図である。ビル管理システム１は、ビルの設備である照明機器や空調機器などのデバイス４を制御するためのシステムであり、プログラマブル表示器２およびプログラマブル・ロジック・コントローラ（ＰＬＣ）３を備えている。
【００２１】
プログラマブル表示器２は、ＣＰＵなどの演算処理装置を備えており、パーソナルコンピュータ（図示せず）によってユーザが作成したスケジュールデータ２４ａや画面データ２４ｂに基づいて、特有の操作機能および表示機能を実現する専用コンピュータである。プログラマブル表示器２は、演算処理部２１、ディスプレイ２２、タッチパネル２３、ＦＥＰＲＯＭ（Flash Erasable and Programmable ROM）２４、ＤＲＡＭ２５およびインターフェース（Ｉ／Ｆ）部２６を備えている。
【００２２】
Ｉ／Ｆ部２６は、専用ネットワークを介してＰＬＣ３との間でデバイス４の制御や監視に関するデータなどの転送や、ＰＬＣ３の出力データの取り込みを制御するインターフェイスである。プログラマブル表示器２は、Ｉ／Ｆ部２６を介してＰＬＣ３と通信することにより、ＰＬＣ３を介して各デバイス４の状態を取得し、その状態をディスプレイ２２に表示したり、ユーザによるタッチパネル２３への操作に応じて、デバイス４の状態制御をＰＬＣ３に指示する。なお、プログラマブル表示器２は、ＰＬＣ機能を含んで、デバイス４を直接制御するように構成されていてもよい。
【００２３】
ＦＥＰＲＯＭ２４は、書き替え可能な読み出し専用のフラッシュメモリであり、一般のパーソナルコンピュータにおけるハードディスクドライブの役割を果たす。ＦＥＰＲＯＭ２４には、スケジュールデータ２４ａおよび画面データ２４ｂが格納されている。また、ＦＥＰＲＯＭ２４には、後述のスケジュールデータ編集部２１１を実現するためのスケジュールデータ編集プログラムが格納されている。
【００２４】
画面データ２４ｂは、パーソナルコンピュータ等によって作成され、ディスプレイ２２に表示すべきベース画面やパーツのデータ、および各パーツに付与された処理指示語などを含んでいる。
【００２５】
スケジュールデータ２４ａは、デバイス４の運用スケジュールを示すデータである。図２は、スケジュールデータ２４ａの一例を示す図である。同図に示されるスケジュールデータ２４ａは、２００８年８月と２００８年９月分のデータであり、デバイス４である２階第１会議室照明および２階第２会議室照明それぞれの開始時刻および終了時刻が示されている。
【００２６】
なお、設定できるのは開始時刻、終了時刻に限らない。例えば、昼休みには照明をＯＦＦにし、昼休み終了時にＯＮにする等の制御もできるのは当然である。また、デバイス４も照明に限るものではなく、空調機器、シャッター等、各種デバイスを制御でき、空調機器による温度管理やシャッターの開閉を行うことが可能である。
【００２７】
ＤＲＡＭ２５は、演算処理時の作業用に用いられるメモリであり、デバイス４の制御時にＰＬＣ３との間でやり取りされるデータの一時的な記憶に用いられるほか、スケジュールデータ２４ａの編集時のデータ展開に用いられる。
【００２８】
演算処理部２１は、ハードウエア（ＣＰＵやメモリなど）およびソフトウエア（オペレーティングシステムなど）によって実現される機能ブロックであり、スケジュールデータ編集部２１１および制御部２１２を有している。
【００２９】
制御部２１２は、スケジュールデータ２４ａおよび画面データ２４ｂに基づき、ＰＬＣ３を介してデバイス４を制御する機能ブロックである。
【００３０】
スケジュールデータ編集部２１１は、ＦＥＰＲＯＭ２４に格納されているスケジュールデータ編集プログラムを実行することにより実現される機能ブロックである。スケジュールデータ編集部２１１は、ＦＥＰＲＯＭ２４に格納されたスケジュールデータ２４ａを編集する機能を有しており、データ読出表示部２１１ａおよびデータ書換部２１１ｂを含んでいる。ユーザの操作によりスケジュールデータ２４ａの編集が指示されると、スケジュールデータ編集部２１１が起動するとともに、同時にデータ読出表示部２１１ａが起動する。
【００３１】
データ読出し表示部２１１ａは読出条件設定部２１１ｃを備えている。読出条件設定部２１１ｃは、所定の規則を入力することで、この所定の規則に従う運用スケジュールデータをスケジュールデータ２４ａから読み出してＤＲＡＭ２５に展開させるためのものである。所定の規則の変更、すなわち読み出し条件の変更は、例えば表示画面上に「読出しスケジュールの変更」のボタンを設けておき、当該ボタンを選択した後、所定の規則、例えば平日、休日あるいは休日明けの営業日等と入力することにより行うことができる。また、所定の規則が長期休日明けの営業日である設定としてもよい。例えば、３日以上の連休明けの最初の平日のみを５日分読み出す構成としてもよい。また、所定の規則を各種デフォルトで設定し、設定した所定の規則をボタンで選択するようにすることもできる。
【００３２】
以下、所定の条件が平日であり、読出し日数として５日が設定されている場合について説明する。
【００３３】
原則として月曜日から金曜日は平日として設定され、土曜日、日曜日、祝日、および夏期休暇などの特別休暇が休日として設定されている。さらに、平日の運用スケジュールとして、２階第１会議室照明は９時〜１８時、２階第２会議室照明は１０時〜１７時に点灯し、休日は終日消灯するように一括設定されている。
【００３４】
なお、平日および休日の設定は、通常はデバイス４を使用する会社等の営業日および休業日に合わせて設定される。例えば、会社の創立記念日等の特定日を休日に設定したり、特定の土日祝日が営業日の場合に、当該営業日を平日に設定してもよい。これらの平日／休日の設定およびデバイス４の運用スケジュールの一括設定は、スケジュールデータ２４ａを作成するパーソナルコンピュータ等において行われる。
【００３５】
データ読出表示部２１１ａは、編集当日を起算日として５日分の平日の運用スケジュールデータを読み出しデータ２５ａとしてスケジュールデータ２４ａから読み出してＤＲＡＭ２５に展開する。これにより、ＤＲＡＭ２５に読み出された読み出しデータ２５ａの内容が、ディスプレイ２２に表示される。ユーザが、変更したい時刻表示部分を選択して、所望の時刻を入力することにより、データ書換部２１１ｂはＤＲＡＭ２５に読み出された読み出しデータ２５ａの内容を書き換える。これにより、スケジュールデータ２４ａの編集を行うことができる。
【００３６】
例えば、２００８年９月１８日（木）に編集操作を行う場合、図３に示すように、９月１８日（木）、９月１９日（金）、９月２２日（月）、９月２４日（水）および９月２５日（木）の５日分の平日の運用スケジュールが表示される。このように、所定の規則として平日を設定すれば、通常は変更する必要のない休日の運用スケジュールが表示されないので、従来構成と同じ５日分の運用スケジュールを表示する場合であっても、すなわち、ＤＲＡＭ２５に展開されるデータ量が同一であっても、休日の運用スケジュールも表示される場合に比べ、より先の営業日を表示することができる。
【００３７】
具体的には、従来の構成では、９月２０日（土）および９月２１日（日）も表示されるので、５日分の運用スケジュールを表示する場合、９月２２日（月）までの運用スケジュールしか表示されない。このため、例えば、９月２５日（木）の運用スケジュールを変更する必要が生じた場合、３日分画面をスクロールさせる必要がある。特にプログラマブル表示器２の演算能力が低い場合は、スクロールのために新たにスケジュールデータ２４ａを展開する必要があり、展開のための時間を要するため、編集作業に手間がかかってしまう。これに対し、本実施形態では、スクロールさせる必要がないため、編集の短縮が可能となる。
【００３８】
なお、先の営業日の運用スケジュールを表示するために、表示する運用スケジュールの日数を増やすことも考えられるが、ディスプレイ２２のサイズが小さい場合は、表示が細かくなってしまうのでタッチ操作が困難となる。また、ＤＲＡＭ２５に展開されるデータ量が大きくなってしまうので、プログラマブル表示器２のデバイス４に対する制御動作のために必要なＤＲＡＭ２５の記憶領域の確保が困難となる。
【００３９】
特に、長期休業日前に長期休業日明けの営業日の運用スケジュールを変更する場合、例えば、２００８年８月８日（金）に夏季休業日明けの２００８年８月１９日（火）の運用スケジュールを変更する必要が生じた場合、従来の構成では、図６に示すように８月１２日までの運用スケジュールしか表示されないので、７日分も画面をスクロールさせなければならない。これに対し、本実施形態では、図４に示すように、休業日明けの８月２１日まで表示されるので、２００８年８月１９日（火）の運用スケジュールを変更する場合でも画面をスクロールさせる必要がない。したがって、ＤＲＡＭ２５に展開するデータ量を増加させることなく、ＤＲＡＭ２５の記憶領域を充分に確保することができるるとともに編集に要する時間を大幅に短縮することができる。
【００４０】
このように、本実施形態では、スケジュールデータ２４ａの編集時に、データ読出表示部２１１ａがスケジュールデータ２４ａから所定の規則に従って、すなわち本実施形態では休日の運用スケジュールを除く平日の運用スケジュールを読み出してＤＲＡＭ２５に展開するため、編集作業が容易となる。また、ＤＲＡＭ２５に展開するデータ量を増加させる必要がないので、制御部２１２によるデバイス４の制御に必要なメモリの領域を十分に確保することができる。
【００４１】
メモリ領域を十分に確保しなければ、細かな制御が必要なデバイス４をプログラマブル表示器２により制御している場合にタイムラグが生じ、例えばデバイス４が空調機器であれば所望の空調環境が得られないという問題が生じる。また、デバイス４がシャッターであり、シャッターを閉じる際に、人等を挟んでしまった際には、制御のタイムラグは特に大きな問題となる。本実施形態では、このような問題も解決できる。
【００４２】
なお、休日の運用スケジュールを変更する場合、すなわち休日に設定されていた日にデバイス４を稼動させる必要が生じた場合は、データ読出表示部２１１ａの読み出し条件を休日に変更することによってスケジュールデータ２４ａから休日の運用スケジュールデータを読み出してＤＲＡＭ２５に展開すればよい。
【００４３】
読み出し条件の変更後、データ読出表示部２１１ａは、編集時から起算して５日分の休日の運用スケジュールデータを読み出しデータ２５ａとして読み出し、ＤＲＡＭ２５に展開する。また、読出し条件を全日と設定すればデータ読出表示部２１１ａは、編集時から起算して休日を含む５日間の運用スケジュールデータを読み出しデータ２５ａとして読み出し、ＤＲＡＭ２５に展開する。これにより、平日データと休日データとで５日分の運用スケジュールデータがＤＲＡＭ２５に展開されて、ディスプレイ２２に表示される。これにより、ユーザは平日および休日の運用スケジュールの変更が可能となる。
【００４４】
このように、所定の規則として平日を設定している際に、休日の運用スケジュールを変更する場合は、読み出し条件の変更操作が必要となるが、一般に休日の運用スケジュールの変更が必要となるケースは、平日の運用スケジュールの変更が必要となるケースに比べ非常に少ない。したがって、通常、所定の規則として平日を設定していれば、総合的に判断すると、本実施形態に係るスケジュールデータ編集部２１１によって、従来構成に比べ運用スケジュールデータ２４ａの編集が大幅に容易となる。
【００４５】
なお、プログラマブル表示器２のスケジュールデータ編集部２１１は、ハードウェアのみで実現してもよいが、コンピュータでソフトウェアを実行させることで実現してもよい。すなわち、スケジュールデータ編集部２１１は、スケジュールデータ編集プログラムをプログラマブル表示器２が備えるＣＰＵなどの演算処理手段に実行させることにより実現される機能ブロックである。
【００４６】
スケジュールデータ編集プログラムは、プログラマブル表示器２と分離可能に構成される記録媒体にも記録可能であり、その記録媒体からプログラマブル表示器２にインストールされてもよい。上記の記録媒体は、磁気テープやカセットテープなどのテープ系、フレキシブルディスクやハードディスクなどの磁気ディスク系、ＣＤ−ＲＯＭ、ＭＯ、ＭＤ、ＤＶＤなどの光ディスク系、ＩＣカード（メモリカードを含む）、光カードなどのカード系が好適である。その他、上記のプログラムメディアは、マスクＲＯＭ、ＥＰＲＯＭ、ＥＥＰＲＯＭ、フラッシュＲＯＭなどによる半導体メモリを含めた固定的にプログラムを担持する媒体であってもよい。
【００４７】
また、本実施形態形態に係るビル管理システム１が、インターネットを含む通信ネットワークと接続可能に構成されていれば、当該通信ネットワークからスケジュールデータ編集プログラムをダウンロードしてもよい。ただし、このように通信ネットワークからスケジュールデータ編集プログラムをダウンロードする場合には、そのダウンロード用プログラムは予めプログラマブル表示器２に格納されるか、あるいは別の記録媒体からインストールされるものであってもよい。
【００４８】
上記実施形態では、ＤＲＡＭ２５に展開する読出しデータ２５ａは、５日分の運用スケジュールデータであったが、２〜４日分であってもよい。ＤＲＡＭ２５に展開するデータ量は、ディスプレイ２２のサイズ、ＤＲＡＭ２５の容量、プログラマブル表示器２の演算能力等を勘案して、適宜設定される。
【００４９】
また、上記実施形態では、平日のスケジュールデータであるか否かに従って編集時から所定日数のスケジュールデータの読み出しを行う構成であったが、これに限定されず、他の条件によりスケジュールデータの読み出しを行ってもよい。例えば、特に編集頻度の高い曜日のスケジュールデータのみを読み出す構成としてもよい。また、編集時の翌週の最初の平日から起算して５日分の平日のスケジュールデータを読み出す構成としてもよい。すなわち、起算日を適宜設定できる構成としてもよい。
【００５０】
また、上記実施形態では、スケジュールデータ２４ａ等を格納する記憶手段がＦＥＰＲＯＭである構成を説明したが、これに限定されず、当該記憶手段としてＦＥＰＲＯＭ以外の不揮発性のメモリを用いてもよい。同様に、平日データ２５ａ等を展開するためのメモリがＤＲＡＭである構成を説明したが、これに限定されず、当該メモリとしてＤＲＡＭ以外の揮発性のメモリを用いてもよい。
【００５１】
また、本実施形態に係るビル管理システム１では、１台のプログラマブル表示器２およびＰＬＣ３によって２台のデバイス４が制御される構成であったが、デバイス４は１台または３台以上であってもよい。また、ＰＬＣ３に換えて他の制御機器を用いてもよい。
【００５２】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００５３】
本発明は、特に、演算能力が低くメモリ容量の小さいプログラマブル表示器において運用スケジュールを編集する用途に好適である。
【図面の簡単な説明】
【００５４】
【図１】本発明の実施形態に係るビル管理システムの構成を示すブロック図である。
【図２】上記ビル管理システムの運用スケジュールを示すスケジュールデータの一例を示す図である。
【図３】ディスプレイに表示される運用スケジュールの一例を示す図である。
【図４】ディスプレイに表示される運用スケジュールの他の一例を示す図である。
【図５】従来の運用スケジュールの一例を示す図である。
【図６】従来の運用スケジュールの他の一例を示す図である。
【符号の説明】
【００５５】
２      プログラマブル表示器
４      デバイス（制御対象機器）
２２    ディスプレイ（表示画面）
２１１    スケジュールデータ編集部（スケジュールデータ編集手段）
２１１ａ  データ読出表示部（データ読出表示手段）
２１１ｂ  データ書換部（データ書換手段）
２４ａ    スケジュールデータ（運用スケジュールデータ）
２５ａ    読出しデータ
【図１】
2010086325.tif 000003
【図２】
2010086325.tif 000004
【図３】
2010086325.tif 000005
【図４】
2010086325.tif 000006
【図５】
2010086325.tif 000007
【図６】
2010086325.tif 000008